(57)【要約】【課題】  カラー陰極線管用電子銃において、高電流域でのビームスポット径の広がりを抑え、カラー陰極線管に適用したときの高輝度・高解像度化を図る。【解決手段】  電子銃において、主電子レンズと第１及び第２の四重極レンズを有し、プリフォーカス電子レンズを構成する第３電極Ｇ3 に、アノード電圧Ｈｖとフォーカス電圧Ｆｓとの中間電圧Ｍｖが内蔵抵抗器２３を介して印加されて成る【選択図】      図２
2005158605.tif 000002
【特許請求の範囲】
【請求項１】
主電子レンズと第１及び第２の四重極レンズを有し、
プリフォーカス電子レンズを構成する第３電極に、アノード電圧とフォーカス電圧との中間電圧が内蔵抵抗器を介して印加されて成る
ことを特徴とする電子銃。
【請求項２】
前記主電子レンズが、アノード電極と、フォーカス電極と、前記アノード電極及びフォーカス電極との間に在って前記中間電圧が印加される中間電極とから成る
ことを特徴とする請求項１記載の電子銃。
【請求項３】
主電子レンズと第１及び第２の四重極レンズを有し、
プリフォーカス電子レンズを構成する第３電極に、アノード電圧とフォーカス電圧との中間電圧が内蔵抵抗器を介して印加される電子銃を、備えて成る
ことを特徴とするカラー陰極線管。
【請求項４】
前記電子銃における前記主電子レンズが、アノード電極と、フォーカス電極と、前記アノード電極及びフォーカス電極との間に在って前記中間電圧が印加される中間電極とから成る
ことを特徴とする請求項３記載のカラー陰極線管。
【発明の詳細な説明】
【技術分野】
【０００１】
本発明は、例えばコンピュータディスプレイ、テレビジョン受像機等の表示装置に用いる電子銃及びカラー陰極線管に関する。
【背景技術】
【０００２】
カラー陰極線管においては、第２電極Ｇ2 及び第３電極Ｇ3 に形成されるプリフォーカス電子レンズを強くすることにより画質改善を目的とした電極として、例えば特許文献１に示すＡＲＴ(aberration-reducing triode)電子銃や特許文献２に示す電子銃が知られている。ＡＲＴ電子銃は、第２電極Ｇ2 〜第３電極Ｇ3 の電界強度を調節（例えば、５×１０４ Ｖ／ｍｍ〜５×１０５ Ｖ／ｍｍ）することにより、強いプリフォーカス電子レンズを形成し、物点と発散角を抑え、主電子レンズでの球面収差によるスポットへの影響を低減させることでスポットサイズを低減させている。
【０００３】
特許文献２のカラー陰極線管用電子銃では、第３電極Ｇ3 に追加電極を用い、この追加電極にフォーカス電圧より高く、アノード電圧より低い電圧を内蔵抵抗器を用いて供給することでプリフォーカス電子レンズを強くし、仮想物点径を小さくすること、及び主電子レンズに入射する電子ビームの径を小さくして、スポットサイズを低減させている。
また、特許文献３のカラー陰極線管用電子銃では、第３電極Ｇ3 に上記特許文献２のカラー陰極線管用電子銃と同様に内蔵抵抗器を用いて供給することでプリフォーカス電子レンズを強くし、任意の発散角を選択することができるようにし、高精細化を行っている。
【０００４】
さらに、図９に示すような電子銃も提案されている。この電子銃１は、赤（Ｒ）、緑（Ｇ）及び青（Ｂ）に対応した３つのカソードＫ〔ＫＲ，ＫＧ ，ＫＢ 〕を備え、カソードＫからスクリーン（蛍光面）方向へ、同軸上に第１電極Ｇ1 ，第２電極Ｇ2 ，第３Ａ電極Ｇ3A、第３Ｂ電極Ｇ3B、第４電極Ｇ4 、第５Ａ電極Ｇ5A、第５Ｂ電極Ｇ5B、第６電極6 及び第７電極Ｇ7 が配列されて構成される。各電極Ｇ1 〜Ｇ7 には、３つのカソードＫR ，ＫG ，ＫB に対応して夫々３つのビーム透過孔が形成されている。第１電極Ｇ1 ，第２電極Ｇ2 及び第４電極Ｇ４は平板状の電極で形成され、その他の電極Ｇ3A、Ｇ3B、Ｇ5A〜Ｇ7 はいわゆる深絞り構造の電極で形成される。
【０００５】
動作時、３つのカソードＫＲ ，ＫＧ 及びＫＢ には例えば２００Ｖ〜２０Ｖが供給され、第１電極Ｇ1 にはＧＮＤ電位（０Ｖ）が供給され、第２電極Ｇ2 と第４電極Ｇ4 には所要の固定電圧（例えば３００Ｖ〜９００Ｖ、一例として５００Ｖ程度）が供給される。第３Ａ電極Ｇ3Aと第５Ｂ電極Ｇ5Bにはダイナミックフォーカス電圧Ｆｄ（例えば５ｋＶ〜１０ｋＶ、一例として６．５〜８ｋＶ）が供給され、第３Ｂ電極Ｇ3Bと第５Ａ電極Ｇ5Aにはスタティックフォーカス電圧Ｆｓ（例えば５ｋＶ〜９ｋＶ、一例として６．５ｋＶ）が供給される。さらに、第６電極Ｇ6 にはフォーカス電圧Ｆｓとアノード電圧ＨＶの中間電圧ＭＶ（例えば１２ｋＶ〜１６ｋＶ、一例として１４ｋＶ）が供給され、第７電極Ｇ7 にはアノード電極Ｈｖ（例えば２７ｋＶ）が供給される。第６電極Ｇ6 への中間電圧Ｍｖは、内蔵抵抗器３を介して供給される。内蔵抵抗器３は、その一方の端子をアノード電圧が印加される第７電極Ｇ７に接続し、他方の端子をステムピンを介して接地し、その中間端を第６電極Ｇ6 に接続されるようになされる。第７電極Ｇ7 へのアノード電圧Ｈｖは、アノードボタンよりファンネルカーボン膜、接触子を介して供給される。
【０００６】
第３Ａ電極Ｇ3Aと第３Ｂ電極Ｇ3Bにより第１静電四重極レンズが形成され、第５Ａ電極Ｇ5Aと第５Ｂ電極Ｇ5Bにより第２静電四重極レンズが形成され、第５Ｂ電極Ｇ5Bと第６電極（中間電極）Ｇ6 と第７電極Ｇ7 で主電子レンズとなる電界拡張レンズが形成される。
【０００７】
この電子銃１においては、第４電極Ｇ4 により電子ビームの発散角を抑えることができる。また、第１及び第２の静電四重極レンズを最適化することでカラー陰極線管の画面周辺部におけるスポット形状を横長形状から円形状に近づけることができ、電子ビームの偏向によるスポットサイズ劣化を抑制することが可能になる。さらに、第５Ｂ電極Ｇ5Bと第６電極Ｇ6 と第７電極Ｇ7 は、前述した電界拡張レンズを形成することで、主電子レンズ部において球面収差係数を小さくし、電子ビームへの影響を小さくすることが可能である。
【特許文献１】米国特許第４５４２３２０号
【特許文献２】特開２００３−１５１４６４号公報
【特許文献３】特開２００３−１６９６１号公報
【発明の開示】
【発明が解決しようとする課題】
【０００８】
ところで、上述したＡＲＴ電子銃では、第３電極Ｇ3 への電圧供給をステムピンから供給する必要があり、ステムピン間の耐圧を考慮すると、１０ｋＶ程度の電圧しか供給できない。このため、第２電極Ｇ2 〜第３電極Ｇ3 の電界強度をあまり強くすることができない。また、特許文献２、特許文献３の電子銃では、画面周辺部のスポット形状を改善するための四重極レンズが１箇所であるため、画面全域にわたり良好にフォーカスユニフォミティを改善することが難しい。
【０００９】
一方、図９に示す電子銃１においては、２つの四重極レンズを有することによりフォーカスユニフォミティを改善することができ、また、電界拡張レンズによる主電子レンズを有することで、主電子レンズにおける球面収差係数を小さくして電子ビームへの影響を小さくすることが可能になる。しかし、この電子銃１は、輝度（即ち電流密度）によってビームスポット径が変わり、低輝度から高輝度の範囲でビームスポット径を均一にする、いわゆるビームスポット径のフラット化に限界があった。即ち、カソード電流が大きい高輝度のときにはビームスポット径が広がり、カソード電流が小さい低輝度のときはビームスポット径が細る。
【００１０】
本発明は、上述の点に鑑み、高電流域でのビームスポット径の広がりを抑え、低輝度から高輝度の範囲でのビームスポット径のフラット化を図り、高輝度、高解像度化を図ったカラー陰極線管用電子銃及びこの電子銃を備えたカラー陰極線管を提供するものである。
【課題を解決するための手段】
【００１１】
本発明に係るカラー陰極線管用電子銃は、主電子レンズと第１及び第２の四重極レンズを有し、プリフォーカス電子レンズを構成する第３電極に、アノード電圧とフォーカス電圧との中間電圧が内蔵抵抗器を介して印加された構成とする。
主電子レンズとしては、アノード電極と、フォーカス電極と、アノード電極及びフォーカス電極との間に在って上記中間電圧が印加される中間電極で構成されることが望ましい。
【００１２】
本発明に係るカラー陰極線管は、主電子レンズと第１及び第２の四重極レンズを有し、プリフォーカス電子レンズを構成する第３電極に、アノード電圧とフォーカス電圧との中間電圧が内蔵抵抗器を介して印加される電子銃を、備えた構成とする。
電子銃における前記主電子レンズとしては、アノード電極と、フォーカス電極と、アノード電極及びフォーカス電極との間に在って前記中間電圧が印加される中間電極で構成されることが望ましい。
【００１３】
本発明の電子銃では、第１及び第２の四重極レンズを有することにより、この２つの四重極レンズを最適化することで陰極線管の画面周辺部におけるスポット径の縦横比が１に近づき、電子ビームの偏向によるスポット形状の劣化が抑制される。プリフォーカス電子レンズを構成する第３電極に、アノード電圧とフォーカス電圧との中間電圧を印加することにより、第２電極及び第３電極で形成されるプリフォーカス電子レンズのレンズ強度を強くし、電子ビーム流の電流密度分布を中心が低くその周囲が高い、いわゆる断面双峰型の電流密度分布とすることができる。電子ビーム流の電流密度分布が断面双峰型分布となることにより、電子銃を出射してから蛍光面に到達するまでのドリフト空間における電子ビームの電子間に働く反発作用による電子ビームの相対的な広がりを小さくすることができる。従って、高電流域におけるスポット径の低減化が図れる。上記中間電圧を内蔵抵抗器を介して供給されるので、ステムピン間の耐圧が取れる。
主電子レンズを、アノード電極とフォーカス電極とアノード電極及びフォーカス電極との間に在って前記中間電圧が印加される中間電極とで構成するときは、電界拡張レンズが構成され、主電子レンズ部における球面収差係数が小さくなり、電子ビームへの影響が小さくなる。
【００１４】
本発明のカラー陰極線管では、上記を電子銃を備えることにより、画面周辺でのスポット形状の劣化が抑制され、高電流域におけるスポット径の低減化が図られ、さらに主電子レンズ部における球面収差係数が小さくなり、画質の向上が図れる。
【発明の効果】
【００１５】
本発明に係る電子銃によれば、第３電極への印加電圧をアノード電圧とフォーカス電圧の中間電圧とし、プリフォーカス電子レンズのレンズ強度を強くすることにより、電子ビーム流の電流密度分布を断面双峰型分布とすることができ、ピーク輝度でのビームスポット径の広がりを抑え、低輝度から高輝度の範囲でのビームスポット径のフラット化を図ることができる。これにより、本発明電子銃をカラー陰極線管に適用した場合に、より高輝度化、高解像度化することができる。
２つの四重極レンズを有することにより、画面周辺でのビームスポット形状を改善することができ、画面全域にわたるフォーカスユニフォミティを改善することができる。
第３電極への電圧を内蔵抵抗器を介して印加することにより、ステムピン間の耐圧がとれ、ステムピン間での不要な放電が回避され、電子銃の信頼性を向上できる。
主電子レンズを電界拡張レンズとすることにより、主電子レンズ部における球面収差係数を小さくすることができるので、高画質化が図れる。
【００１６】
本発明に係るカラー陰極線管によれば、上記電子銃を備えることにより、高電流域におけるビームスポット径を改善し、低輝度から高輝度の範囲でのビームスポット径のフラット化を可能にし、また、画面全域のフォーカスユニフォミティを良好になることから、高輝度、高解像度の高画質の画面が得られ、カラー陰極線管の性能をさらに向上することができる。
【発明を実施するための最良の形態】
【００１７】
以下、図面を参照して本発明の実施の形態を説明する。
【００１８】
図１は、本発明に係るカラー陰極線管の一実施の形態を示す。本実施の形態に係るカラー陰極線管１１は、パネル１２とファンネル１３とネック１４とからなる陰極線管体１５を有し、パネル１２の内面にカラー蛍光面１６を形成すると共に、カラー蛍光面１６に対向して色選別機構１７を配置し、ネック１４内の本発明による電子銃１８を配置して構成される。この陰極線管１１では、電子銃１８から出射した赤（Ｒ）、緑（Ｇ）及び青（Ｂ）に対応した３つの電子ビームＢ〔ＢＲ，ＢＧ ，ＢＢ 〕が色選別機構１７を透過してカラー蛍光面１６上に照射され、該電子ビームＢＲ ，ＢＧ，ＢＢ が偏向ヨーク１９にて水平、垂直方向に走査されて所要のカラー画像を表示するようになされる。
【００１９】
図２は、上記カラー陰極線管１１に適用される本発明に係る電子銃の一実施の形態を示す。本実施の形態に係る電子銃１８は、赤（Ｒ）、緑（Ｇ）及び青（Ｂ）に対応した３つのカソードＫ〔ＫＲ，ＫＧ ，ＫＢ 〕を備え、カソードＫからスクリーン（蛍光面）方向へ同軸上に第１電極Ｇ1 ，第２電極Ｇ2 ，第３Ａ電極Ｇ3A、第３Ｂ電極Ｇ3B、第４電極Ｇ4 、第５Ａ電極Ｇ5A、第５Ｂ電極Ｇ5B、第６電極6 及び第７電極Ｇ7 が配列されて構成される。各電極Ｇ1 〜Ｇ7 には、３つのカソードＫＲ ，ＫＧ ，ＫＢ に対応して夫々３つのビーム透過孔が形成されている。第１電極Ｇ1 及び第２電極Ｇ2 は平板状の電極で形成され、その他の電極Ｇ3A〜Ｇ7 はいわゆる深絞り構造の電極で形成される。
【００２０】
図２は、上記カラー陰極線管１１に適用される本発明に係る電子銃の一実施の形態を示す。本実施の形態に係る電子銃１８は、赤（Ｒ）、緑（Ｇ）及び青（Ｂ）に対応した３つのカソードＫ〔ＫＲ，ＫＧ ，ＫＢ 〕を備え、カソードＫからスクリーン（蛍光面）方向へ同軸上に第１電極Ｇ1 ，第２電極Ｇ2 ，第３電極G3、第４電極Ｇ4A、第４電極Ｇ4B、第５Ａ電極Ｇ5A、第５Ｂ電極Ｇ5B、第６電極6 及び第７電極Ｇ7 が配列されて構成される。各電極Ｇ1 〜Ｇ7 には、３つのカソードＫＲ ，ＫＧ ，ＫＢ に対応して夫々３つのビーム透過孔が形成されている。第１電極Ｇ1 及び第２電極Ｇ2 は平板状の電極で形成され、その他の電極Ｇ3〜Ｇ7 はいわゆる深絞り構造の電極で形成される。ただし第3電極G3の全長は第４電極Ｇ4A、第４電極Ｇ4Bで構成される第1の静電四重極におけるビーム径の調整に用いることも可能であるため、任意の形状（例えば平板状）で形成しても構わない。また第４電極Ｇ4B、第５Ａ電極Ｇ5Aは同電位になるため1つの電極として形成することも可能である。
【００２１】
動作時、３つのカソードＫＲ ，ＫＧ 及びＫＢ には例えば２００Ｖ〜２０Ｖが供給され、第１電極Ｇ1 にはＧＮＤ電位（０Ｖ）が供給され、第２電極Ｇ2 と第４電極Ｇ4 には所要の固定電圧（例えば３００Ｖ〜９００Ｖ、本例ではて５００Ｖ程度）が供給される。第３Ａ電極Ｇ3Aと第６電極Ｇ6 にはアノード電圧Ｈｖとフォーカス電圧Ｆｓ間の中間電圧Ｍｖ（例えば１２ｋＶ〜２０ｋＶ、本例では１５ｋＶ）が供給される。第４Ａ電極Ｇ4Aと第５Ｂ電極Ｇ5Bにはダイナミックフォーカス電圧Ｆｄ（例えば５ｋＶ〜１０ｋＶ、本例では６．５〜８ｋＶ）が供給され、第４Ｂ電極Ｇ4Bと第５Ａ電極Ｇ5Aにはスタティックフォーカス電圧Ｆｓ（例えば５ｋＶ〜９ｋＶ、本例では６．５ｋＶ）が供給される。さらに、第７電極Ｇ7 にはアノード電極Ｈｖ（本例では３０ｋＶ）が供給される。第３電極Ｇ3 と第６電極Ｇ6 への中間電圧Ｍｖは、内蔵抵抗器２３を介して供給される。内蔵抵抗器２３は、その一方の端子をアノード電圧か印加される第７電極Ｇ７に接続し、他方の端子をステムピンを介して接地し、その中間端子を第６電極Ｇ6 に接続されるようになされる。第７電極Ｇ7 へのアノード電圧Ｈｖは、アノードボタンよりファンネルカーボン膜、接触子を介して供給される。
【００２２】
第４Ａ電極Ｇ4Aと第４Ｂ電極Ｇ4Bとにより第１の静電四重極レンズが形成され、第５Ａ電極Ｇ5Aと第５Ｂ電極Ｇ5Bとにより第２の静電四重極レンズが形成される。また、第５Ｂ電極Ｇ5Bと第６電極（中間電極）Ｇ6 と第７電極Ｇ7 で主電子レンズとなる電界拡張レンズが形成される。
【００２３】
この電子銃１８の構成においては、第４Ａ電極Ｇ4Aと第４Ｂ電極Ｇ4B間、及び第５Ａ電極Ｇ5Aと第５Ｂ電極Ｇ5B間で夫々形成される第１及び第２の静電四重極レンズを最適化することにより、陰極線管の画面周辺部におけるスポット形状を横長形状から円形状に近づけることができ、電子ビームの偏向によるスポット形状劣化を抑制することができる。また、第５Ｂ電極Ｇ5Bと第６電極Ｇ6 と第７電極Ｇ7 で形成される主電子レンズとなる電界拡張レンズにより、主電子レンズ部において球面収差係数を小さくし、電子ビームへの影響を小さくすることができる。また、中間電圧Ｍｖは内蔵抵抗器２３によって供給されるので、陰極線管のステムピンに直接中間電圧Ｍｖを印加せずに第３電極Ｇ3 及び第６電極Ｇ6 に中間電圧Ｍｖを供給することができ、ステムピン間の耐圧を確保することができる。
【００２４】
そして本実施の形態の電子銃１８においては、第３電極Ｇ3 にスタティックフォーカス電圧Ｆｓより十分大きい上述の中間電圧Ｍｖを印加することによって、主電子レンズに入射する電子ビームの電流密度分布を中心が低くその周囲が高い断面双峰型にして、電子軌道における電子ビームの発散角を抑制するようになす。
【００２５】
図２は、本実施の形態のカソードＫと第１電極Ｇ1 と第２電極Ｇ2 で構成される三極部構造における電子軌道を示す。この例では、カソードＫに５７Ｖ、第１電極Ｇ1 に０Ｖ、第２電極Ｇ2 に８９０Ｖ、第３電極Ｇ3 に中間電位の１５ｋＶを印加している。
図３は比較のために、図９の従来例のカソードＫと第１電極Ｇ1 と第２電極Ｇ2 で構成される三極部構造における電子軌道を示す。この例では、カソードＫに５７Ｖ、第１電極Ｇ1 に０Ｖ、第２電極Ｇ2 に８９０Ｖ，第３電極Ｇ3 にスタティックフォーカス電位の７．５ｋＶを印加している。
図２に示すように、本実施の形態における電子軌道２５は、図３の従来例の電子軌道２６に比べて電子ビームの発散角が抑えられていることが分かる。
【００２６】
また、図４は、本実施の形態における電子軌道が第５Ｂ電極Ｇ5B、第６電極Ｇ6 及び第７電極Ｇ7 で形成される主電子レンズ部に入射する際の電子ビーム２５の電流密度分布を示し、図５は、図９の従来例の電子軌道が第５Ｂ電極Ｇ5B、第６電極Ｇ6 及び第７電極Ｇ7 で形成される主電子レンズ部に入射する際の電子ビーム２６の電流密度分布を示す。
従来の電子ビーム２６の電流密度２８は、図５に示すように、中心部が高く外側になるにつれて下がる、いわゆるガウシアン分布になる傾向にある。これに対して、本実施の形態の電子ビーム２５の電流密度２７は、図４に示すように、中心が低くその周囲が高くなるような、いわゆる断面双峰型をなす分布を呈する。この本実施の形態の電流密度部分２７は、プリフォーカス電子レンズ部で発散角が抑えられた電子ビーム２５が、第３電極Ｇ3 に入射する際に、そこに形成される発散レンズ効果によって電子ビーム２５が発散されることによって生じるものである。
【００２７】
本発明では、強いプリフォーカス電子レンズによってエミッタンス改善及び電極密度分布を変化することにより、電子銃から蛍光面までのドリフト空間における電子反発効果による電子ビーム径の拡大を抑制することである。以下に説明する。スクリーン（蛍光面）上における電子ビームの径（ビームスポット径）φＢは一般に次の式１で表すことができる。(論文はR. H. Hughes et. al. ; A novel high voltage bipotentialCRT gun design, IEEE Chicago Fall Conference on Consumer Electronics(1978))
【００２８】
［式１］
φＢ＝｛（Ｍ×ｄ＋１／２×Ｍ×Ｃｓ×θ３ ）２ ＋Ｒｅｐ２ ｝１／２
ここで、Ｄは電子ビームの物点径、Ｃｓは球面収差係数、θは電子ビームの発散角、Ｒｅｐはリパルジョン（電子間に働く反撥）によるビームスポット径、Ｍは像倍率である。
【００２９】
従来のビームスポット径の改善方法は、プリフォーカス電子レンズ部の構造によって物点径ｄや発散角θ、あるいは主電子レンズ部の最適化によって球面収差係数Ｃｓの改善を行ってきた。しかし、本発明は、図３に示すように、発散角を小さくするだけでなく、図５に示すように、電子ビームの電流密度分布２７を変化させて、電子銃を出てから蛍光面に到達するまでのドリフト空間における電子間に働く反撥作用による電子ビームの相対的な広がりを小さくすることを見出した。つまり、従来は、式１において後半のリパルジョンＲｅｐの項は無視し、前半の項を出来るだけ小さくするように試みてきた。しかし、検証の結果、式１の前半の項はプリフォーカスで見ると改善されているが、電子銃全体では改善効果が少なく、ビームスポット径の抑制にはリパルジョンＲｅｐの項が大きく影響することが確認された。
【００３０】
図７は、従来の電子銃１において、第３電極Ｇ3 にフォーカス電圧と同じくらいの７．５ｋＶ程度の電圧を加えた場合と、本発明の電子銃１８において、アノード電圧の半分程度の電圧を加えた場合の夫々のカソード電流に対するリパルジョンによるビームスポット径の劣化量を示す。この図７のグラフは、式１で示される各変数ｄ、Ｃｓ、θをシミュレーションにより算出し、その結果からリパルジョンＲｅｐを見積もったものである。図７において、グラフＩは第３電極Ｇ3 にフォーカス電圧を印加した従来の場合、グラフＩＩは第３電極Ｇ３にアノード電圧の半分程度の中圧を印加した本発明の場合である。第３電極Ｇ3 の電位を高めることにより、リパルジョンＲｅｐが減少していることが分かる。
また、プリフォーカス電子レンズを強くする方法としては、第２電極Ｇ2 と第３電極Ｇ3 の間隔を小さくすることも考えられるが、ビームスポット径の改善にはつながらない。
【００３１】
図８は、従来の電子銃１及び本発明の電子銃１８にけるカソード電流に対するビームスポット径の関係を示すグラフである。グラフＩＩＩは従来の場合、グラフＩＶは本発明に場合である。
【００３２】
本実施の形態によれば、図８に示すように、カソード電流に対するビームスポット径を小さくし、陰極線管における高解像度化あるいは高輝度化を行うことが可能となる。また、ビームスポット径を小さくすることに加えて、２つの静電四重極レンズを電極構造に取り入れることにより、画面周辺部におけるビームスポット径を縦横比を１に近づけることが可能になり、陰極線管の性能をさらに向上することが可能になる。
【００３３】
特に高電流域におけるビームスポット径を小さくすることが可能になり、低輝度から高輝度までビームスポット径のフラット化が得られ、カラー陰極線管のより画質の向上を図ることができる。
【図面の簡単な説明】
【００３４】
【図１】本発明に係るカラー陰極線管の一実施の形態を示す概略構成図である。
【図２】本発明に係る電子銃の一実施の形態を示す構成図である。
【図３】本発明に係る電子銃の三極構造部での電子軌道における電子ビームの広がり状態を示す説明図である。
【図４】従来に係る電子銃の三極構造部での電子軌道における電子ビームの広がり状態を示す説明図である。
【図５】本発明に係る電子銃の主電子レンズに入射する電子ビームの電流密度分布を示す電流密度分布図である。
【図６】従来に係る電子銃の主電子レンズに入射する電子ビームの電流密度分布を示す電流密度分布図である。
【図７】本発明と従来の電子銃におけるカソード電流に対するリパルジョンによるビームスポット径の劣化量を示すグラフである。
【図８】本発明と従来の電子銃におけるカソード電流に対するビームスポット径の関係を示すグラフである。
【図９】従来の電子銃の例を示す構成図である。
【符号の説明】
【００３５】
１、１８・・電子銃、３、２３・・内蔵抵抗器、Ｋ〔ＫＲ ，ＫＧ ，ＫＢ 〕・・カソード、Ｇ1 〜Ｇ7 ・・電極、ＦＳ・・スタティックフォーカス電圧、Ｆｄ・・ダイナミックフォーカス電圧、１１・・カラー陰極線管、１２・・パネル、１３・・ファンネル、１４・・ネック、１５・・管体、１６・・カラー蛍光面、１７・・色選別機構、１９・・偏向ヨーク
【図１】
2005158605.tif 000003
【図２】
2005158605.tif 000004
【図３】
2005158605.tif 000005
【図４】
2005158605.tif 000006
【図５】
2005158605.tif 000007
【図６】
2005158605.tif 000008
【図７】
2005158605.tif 000009
【図８】
2005158605.tif 000010
【図９】
2005158605.tif 000011